(57)【特許請求の範囲】
【請求項１】
ドア（２）を施錠する施錠装置（５）と、この施錠装置（５）の施解錠と連動して作動する作動スイッチ（６）と、ドア（２）の開閉状態を検知するドアスイッチ（１０）と、警報装置（７）と、主電源（１１）とを備え、
前記施錠装置（５）を施錠することにより前記作動スイッチ（６）を入状態として、ドア開放時に警報を発することができる待機状態とし、この入状態において前記ドア（２）を開放すると前記ドアスイッチ（１０）が入状態となって、前記作動スイッチ（６）、ドアスイッチ（１０）及び警報装置（７）と、前記主電源（１１）とからなる回路が閉回路を構成し、前記警報装置（７）が前記主電源（１１）から電気の供給を受けて作動することで保管物の盗難を抑止する一方で、前記施錠装置（５）を解錠することにより前記作動スイッチ（６）が切状態となり、前記回路が開回路となって、前記ドア（２）の開閉に関わらず前記警報装置（７）が作動しないようにした警報装置付き保冷庫。
【請求項２】
前記主電源（１１）によって充電される補助電源（１２）を備え、前記主電源（１１）の通電状態では、この主電源（１１）から前記回路に電気を供給しつつ前記補助電源（１２）を充電する一方で、前記主電源（１１）が停電した際に、この主電源（１１）に代わって前記補助電源（１２）から前記回路に電気を供給するようにした請求項１に記載の警報装置付き保冷庫。
【請求項３】
前記作動スイッチ（６）の入状態において点灯する作動ランプ（８）を備えた請求項１又は２に記載の警報装置付き保冷庫。
【発明の詳細な説明】
【技術分野】
【０００１】
この発明は、ドアを施錠した状態においてこのドアを開けようとした際に、警報装置が作動するようにした警報装置付き保冷庫に関する。
【背景技術】
【０００２】
例えば、図３に示す玄米等の穀物類用の保冷庫は、前面が開口した保冷庫本体１に、この開口部を自在に開閉するドア２が設けられており、冷却システム１３によってその保冷庫本体１の庫内を所定温度に冷却して、この庫内に収納した玄米等の保管物Ｃを新鮮な状態で保管するために用いられる。この保冷庫は倉庫等に置かれていることが多く、夜間に倉庫等が無人となった際に、庫内の保管物Ｃが盗難の被害に遭いやすい。このため、夜間はこの保冷庫のドア２に南京錠やシリンダ錠等の施錠装置５を設け、このドア２を施錠して保管物Ｃの盗難を防いでいる。
【０００３】
特に、医薬品等のように厳重な管理が要求される施設では、正しいパスワードを入力したときのみ鍵によって施解錠できるようにして、その施錠信頼性をより高めた保管庫が用いられることがある（例えば、下記特許文献１を参照）。
【先行技術文献】
【特許文献】
【０００４】
【特許文献１】特開平８−１２０９８９号公報
【発明の概要】
【発明が解決しようとする課題】
【０００５】
図３や上記特許文献１に示す保冷庫は、たとえ施錠装置５を施錠した状態であっても、ドア２をバール等で無理矢理こじ開けると、容易に保管物Ｃの持ち出しができるという問題がある。
【０００６】
そこで、この発明は、施錠装置を備えた保冷庫において、保管物の盗難の抑止効果を高めるようにすることを課題とする。
【課題を解決するための手段】
【０００７】
上記の課題を解決するため、この発明は、ドアを施錠する施錠装置と、この施錠装置の施解錠と連動して作動する作動スイッチと、ドアの開閉状態を検知するドアスイッチと、警報装置と、主電源とを備え、前記施錠装置を施錠することにより前記作動スイッチを入状態とし、この入状態において前記ドアを開放すると前記ドアスイッチが入状態となって、前記作動スイッチ、ドアスイッチ及び警報装置と、前記主電源とからなる回路が閉回路を構成し、前記警報装置が前記主電源から電気の供給を受けて作動する一方で、前記施錠装置を解錠することにより前記作動スイッチが切状態となり、前記回路が開回路となって、前記ドアの開閉に関わらず前記警報装置が作動しないようにした警報装置付き保冷庫を構成した。
【０００８】
このように、単にドアを施錠装置で施錠するだけでなく、その施錠状態においてドアがバール等で無理矢理開けられた際に警報装置を作動させることによって、施錠のみの場合と比較して、その防犯効果が一層高まることが期待できる。しかも、施錠装置と作動スイッチを連動させたことにより、施錠操作と同時に警報装置を待機状態（ドア開放時に警報を発することができる状態）とすることができるため、使用者が施錠操作のみ行って警報装置を待機状態とするのをし忘れるミスを防止することができる。その一方で、解錠状態では警報装置は作動しないため、普通の保冷庫（警報装置のない保冷庫）と同様に取り扱うことができる。
【０００９】
この警報装置として、警報ブザーや警報灯（赤色回転灯等）を用いると、犯人への威嚇作用によって窃盗行為を断念させる効果が高い点で好ましい。これとともに、異常発生を通信回線を通じて警備会社等に自動的に通報するようにすれば、この異常事態に迅速に対応できる点でより好ましい。
【００１０】
また、前記構成においては、前記主電源によって充電される補助電源を備え、前記主電源の通電状態では、この主電源から前記回路に電気を供給しつつ前記補助電源を充電する一方で、前記主電源が停電した際に、この主電源に代わって前記補助電源から前記回路に電気を供給するようにするのがより好ましい。
【００１１】
このように、補助電源を備えることにより、警報装置が待機状態の際に停電が生じ、主電源からの電気の供給がなされなくなった場合でも、前記補助電源からの電気の供給を受けて、この補助電源の電気が底を尽くまでの間、前記警報装置をこの待機状態とし続けることができるため、警報装置としての信頼性が高い。また、犯人が警報装置の作動を防ぐ目的で保冷庫のプラグをソケットから引き抜くことも想定し得るが、この補助電源によって前記待機状態が継続するため、犯行を断念させる効果も期待できる。
【００１２】
さらに、前記各構成においては、前記作動スイッチの入状態において点灯する作動ランプを備えるのがより好ましい。
【００１３】
例えば、ドア表面の目に付きやすいところに作動ランプを設けて、これを点灯させることにより、前記警報装置の待機状態を明確に知ることができ、使用者が警報装置をこの待機状態にし忘れるミスを防止することができるとともに、犯人がこの作動ランプの点灯を目にすることで、犯罪の抑止効果も高めることができる。
【発明の効果】
【００１４】
この発明は、保冷庫に、施錠装置の施解錠状態と連動して作動する作動スイッチを設け、この作動スイッチの入状態においてドアを開状態とすると、前記警報装置が作動するようにした。このように、警報装置を設けることで、単に施錠装置で施錠した場合と比較して防犯性能が高まる。また、施錠装置と作動スイッチを連動するようにしたことで、使用者が警報装置を待機状態とし忘れるミスを防止することができる。
【図面の簡単な説明】
【００１５】
【図１】本願発明に係る警報装置付き保冷庫の制御系を示す回路図
【図２】本願発明に係る警報装置付き保冷庫の制御部を示し、（ａ）は平面図、（ｂ）は右側面図、（ｃ）は左側面図、（ｄ）は正面図、（ｅ）は背面図
【図３】施錠装置を備えた一般的な玄米用の保冷庫を示し、（ａ）は正面図、（ｂ）は側面断面図
【発明を実施するための形態】
【００１６】
この発明に係る警報装置付き保冷庫は、図３に示したように玄米等の保管物Ｃを収納する保冷庫本体１に、その開口部を開閉自在にドア２を設けたものであり、後述する警報機構以外は従来技術に係る保冷庫と同様の機能を有するため、この保冷庫自体についての詳細な説明は省略する。
【００１７】
この警報装置付き保冷庫の制御系の回路図を図１に示す。この制御系は、保冷庫のドア２側に設けられた操作部３と、保冷庫本体１側に設けられた制御部４とから構成される。
【００１８】
操作部３には、施錠装置５（シリンダ錠）（図３を参照）の施解錠と連動する作動スイッチ６（キースイッチ）と、ドア２表面の目に付きやすいところに、この施錠装置５の施錠時（警報装置７の待機状態）に点灯する作動ランプ８とが設けられている。その一方で、制御部４には、制御回路を形成した基板９と、ドア２の開閉を検知するドアスイッチ１０と、警報装置７（警報ブザー）と、主電源１１（交流１００Ｖ）と、補助電源１２（ニッケル水素電池、直流３．６Ｖ）とが設けられている。主電源１１は、基板９の端子Ｈ１、Ｈ２に、作動スイッチ６と表示ランプ８は、端子Ｈ３、Ｈ４、Ｈ５に、ドアスイッチ１０及び警報装置７は、直列に端子Ｈ６、Ｈ７に、補助電源１２は、端子Ｈ８、Ｈ９にそれぞれ接続されている。
【００１９】
主電源１１、作動スイッチ６、ドアスイッチ１０及び警報装置７は一つの回路を構成している。そして、施錠装置５を施錠することにより作動スイッチ６を入状態とし、この入状態においてドア２を開状態とすると、前記回路が閉回路となって、警報装置７が主電源１１から電気の供給を受けて作動する。その一方で、施錠装置５を解錠すると作動スイッチ６が切状態となり、前記回路が開回路となって、ドア２の開閉状態に関わらず警報装置７が作動しないようにすることができる。なお、この主電源１１は、保冷庫の冷却システム１３（図３を参照）を駆動させる電源を兼ねている。
【００２０】
基板９上には、主電源１１のノイズを除去するバリスタ１４と、交流電圧を下げるトランス１５と、交流を直流に変換するブリッジダイオード１６と、直流電圧を安定化させるシリーズレギュレータ１７と、補助電源１２の電圧に対して出力を切り替えるコンパレータ１８、抵抗１９、コンデンサ２０、トランジスタ２１、ヒューズ２２、リレー２３、２４、ダイオード２５とから制御回路が構成されている。
【００２１】
主電源１１の通電状態においては、この主電源１１により前記回路に電気が供給されるとともに、補助電源１２が満充電状態となるまで充電される。この一方で、主電源１１が何らかの事情で停電した場合には、この主電源１１の電圧低下をリレー２３、２４で検知して、充電された補助電源１２から前記回路に電気が供給されるように給電経路が切り替わる。そして、この補助電源１２から電気が供給される間、作動スイッチ６の入状態において警報装置７の待機状態が維持される。この主電源１１への通電が再開されると、前記給電経路が再び切り替わって、主電源１１から前記回路に電気が供給されるとともに、補助電源１２の充電がなされる。
【００２２】
この制御部は、図２に示すように一つのケース２６にコンパクトに収納できるようになっていて、このケース２６内には、警報装置７、基板９、ドアスイッチ１０、補助電源１２を収納する電池ボックス２７、操作部３からの配線、及び主電源１１をつなぐコネクタ２８が備えられている。この警報装置７等は、図１に示した回路図に従って配線されている。また、このケース２６の壁部にはフック部２９が形成され、このフック部２９をねじ止めすることで、保冷庫本体１の壁面に容易に固定することができるようになっている。
【００２３】
なお、このドアスイッチ１０は警報装置７と直列に接続され、作動スイッチ６の入状態（警報装置７の待機状態）においてのみドア２の開閉検知を行うものであるが、庫内冷却ファン（図示せず）と連動させて、一般的な保冷庫と同様に、ドア２を開けたときにこの庫内冷却ファンを作動させる構成としてもよい。
【符号の説明】
【００２４】
１  保冷庫本体
２  ドア
３  操作部
４  制御部
５  施錠装置（シリンダ錠）
６  作動スイッチ（キースイッチ）
７  警報装置（警報ブザー）
８  表示ランプ
９  基板
１０  ドアスイッチ
１１  主電源
１２  補助電源
１３  冷却システム
１４  バリスタ
１５  トランス
１６  ブリッジダイオード
１７  シリーズレギュレータ
１８  コンパレータ
１９  抵抗
２０  コンデンサ
２１  トランジスタ
２２  ヒューズ
２３、２４  リレー
２５  ダイオード
２６  ケース
２７  電池ボックス
２８  コネクタ
２９  フック部
Ｈ１〜Ｈ９  端子
【図１】
0005527599.tif 000002
【図２】
0005527599.tif 000003
【図３】
0005527599.tif 000004